(57)【要約】【課題】所望の周波数帯域のノイズを除去できるように調整できない従来のフィルタに対して、所定の周波数帯域のノイズを所望に調整可能に抑制できるフィルタを提供することを目的とする。【解決手段】固有の周波数帯域を抑制する特性を有して磁性偏平化された磁性粉を含有する磁性体シート５と、導体パターン１を有した回路とを備え、伝送線路上に、前記磁性体シート５を介して、前記回路を配置することによって、前記特性を調整可能とし、所定の周波数帯域を減衰させたことを特徴としている。【選択図】図１
2014207491.tif 000002
【特許請求の範囲】
【請求項１】
固有の周波数帯域を抑制する特性を有して磁性偏平化された磁性粉を含有する磁性体シートと、導体パターンを有した回路とを備え、
伝送線路上に、前記磁性体シートを介して、前記回路を配置することによって、前記特性を調整可能とし、所定の周波数帯域を減衰させたことを特徴とするフィルタ。
【請求項２】
前記回路は、共振回路を有していることを特徴とする請求項１に記載のフィルタ。
【請求項３】
前記共振回路は、他の回路と接続される導体のパターンを有していなく、前記導体パターンが環状に形成されたリング共振回路であることを特徴とする請求項２に記載のフィルタ。
【請求項４】
前記導体パターンは、キャパシタを介して接続され、閉じられた構成であることを特徴とする請求項３に記載のフィルタ。
【発明の詳細な説明】
【技術分野】
【０００１】
本発明は、所望の周波数帯域のノイズを抑制できるフィルタに関し、特に、磁性粉を含有する磁性体シートと導体パターンを有した回路とを備えたフィルタに関する。
【背景技術】
【０００２】
最近の電子機器において、電子機器の外部から来る電磁波を防ぐためや、電子機器から外部に電磁波を放射することを防ぐためや、電子機器の内部で回路相互の干渉を防ぐために、磁性材料が広く使用されている。さらに、磁性材料の特異な周波数特性を生かして、ローパスフィルタやバンドパスフィルタ等のフィルタ回路にも使用されている。
【０００３】
磁性材料をフィルタ回路に使用した従来技術として、文献特許１では、ローパスフィルタのフィルタ回路８０１が提案されている。従来例１のフィルタ回路８０１は、図１２に示すように、基板８０５上に形成された導体８０３の表面の少なくとも一部を磁性材料シート８０２で取り囲んで構成され、１ＧＨｚ以上のノイズをカットできるとしている。
【０００４】
また、文献特許２では、高周波バンドパスフィルタ９００が提案されている。従来例２の高周波バンドパスフィルタ９００は、図１３に示すように、軟磁性金属の粉末を含有したシート９０１と、シート９０１の表面に直列方向に走る入力信号ライン９０２および出力信号ライン９０３と、入力信号ライン９０２および出力信号ライン９０３の相対向する端部を接続するチップコンデンサ９０５と、シート９０１の裏面にＧＮＤライン９０４とを備えて構成されている。そして、チップコンデンサ９０５の静電容量の値を選択し、入力信号ライン９０２および出力信号ライン９０３の線路の長さ、幅厚及び形状等によって決定されるインピーダンスを選択し、シート９０１の軟磁性金属粉末やシート９０１の形状等を選択することにより、数百ＭＨｚ〜十数ＧＨｚの周波数領域での通過帯域を選定できるバンドパスフィルタが得られるとしている。
【先行技術文献】
【特許文献】
【０００５】
【特許文献１】２００３−１５８００３号公報
【特許文献２】２００４−２２２０８６号公報
【発明の概要】
【発明が解決しようとする課題】
【０００６】
しかしながら、従来例１，従来例２ともに、所望の周波数帯域のノイズを除去しようとしても、単に導体と磁性体を組み合わせてフィルタとしたので、導体のパターンや磁性体のサイズ等を色々変えたとしても、磁性体のそもそもの特性に依存してしまい、所望の周波数帯域のノイズを除去できるように調整できないと言う課題があった。そのため、ノイズを抑制するためのシートとは別に、フィルタ機能を備えた電子部品を実装して、所望の周波数帯域で所要の減衰量を得るようにしていた。
【０００７】
本発明は、上述した課題を解決するもので、所定の周波数帯域のノイズを所望に調整可能に抑制できるフィルタを提供することを目的とする。
【課題を解決するための手段】
【０００８】
この課題を解決するために、本発明の請求項１によるフィルタは、固有の周波数帯域を抑制する特性を有して磁性偏平化された磁性粉を含有する磁性体シートと、導体パターンを有した回路とを備え、伝送線路上に、前記磁性体シートを介して、前記回路を配置することによって、前記特性を調整可能とし、所定の周波数帯域を減衰させたことを特徴としている。
【０００９】
また、本発明の請求項２によるフィルタは、前記回路が、共振回路を有していることを特徴としている。
【００１０】
また、本発明の請求項３によるフィルタは、前記共振回路が、他の回路と接続される導体のパターンを有していなく、前記導体パターンが環状に形成されたリング共振回路であることを特徴としている。
【００１１】
また、本発明の請求項４によるフィルタは、前記導体パターンが、キャパシタを介して接続され、閉じられた構成であることを特徴としている。
【発明の効果】
【００１２】
請求項１の発明によれば、本発明のフィルタは、伝送線路上に、磁性体シートを介して、回路を配置することによって、磁性体シートの固有の周波数帯域を抑制する特性を調整可能とし所定の周波数帯域を減衰できるので、所望の周波数帯域のノイズを抑制できるフィルタとすることができる。このことにより、所定の周波数帯域のノイズを所望に調整可能に抑制できるフィルタを得ることができる。
【００１３】
請求項２の発明によれば、本発明のフィルタは、共振回路を有しているので、共振ポイントにおける共振周波数や減衰量を変えることができ、減衰させる所望の周波数帯域を調整することができる。このことにより、所定の周波数帯域のノイズを所望により調整可能に抑制できるフィルタを得ることができる。
【００１４】
請求項３の発明によれば、本発明のフィルタは、共振回路がリング共振回路であるので、共振回路に接地（グランド）を設ける必要がないことにより、低損失（高いＱ値）を実現でき、不用な浮遊容量も生じなくすることができる。このことにより、フィルタの構造が極めて単純で、しかも良い特性のフィルタを得ることができる。
【００１５】
請求項４の発明によれば、本発明のフィルタは、リング共振回路がキャパシタを介して閉じられた導体パターンから構成されているので、キャパシタと導体パターンを任意に選定することで、容易に共振させられ、しかも所望の共振周波数に容易に調整することができる。このことにより、所定の周波数帯域のノイズを所望により一層調整可能に抑制できるフィルタを得ることができる。
【００１６】
したがって、本発明のフィルタは、所定の周波数帯域のノイズを所望に調整可能に抑制できるフィルタを提供できる。
【図面の簡単な説明】
【００１７】
【図１】本発明の第１実施形態のフィルタを説明する図であって、フィルタが伝送線路上に配置された際の上面構成図である。
【図２】本発明の第１実施形態のフィルタを説明する図であって、図２（ａ）は、図１に示すＹ２側から見た側面構成図であり、図２（ｂ）は、図１に示すＸ１側から見た側面構成図である。
【図３】本発明の第１実施形態のフィルタに用いた磁性体シートを説明する図であって、図３（ａ）は、図２（ａ）に示すＱ１方向の断面模式図であり、図３（ｂ）は、磁性体シートの断面ＳＥＭ写真の一例である。
【図４】本発明の第１実施形態のフィルタに用いた磁性体シートの周波数による伝送特性について、シミュレーションを行った際のモデル図である。
【図５】本発明の第１実施形態のフィルタに用いた磁性体シートの周波数による伝送特性をシミュレーションした結果のグラフである。
【図６】本発明の第１実施形態のフィルタに用いた磁性体シート上に形成された回路の周波数による伝送特性について、シミュレーションを行った際のモデル図である。
【図７】本発明の第１実施形態のフィルタに用いた磁性体シート上に形成された回路の周波数による伝送特性をシミュレーションした結果のグラフである。
【図８】本発明の第１実施形態のフィルタが伝送線路上に配置された際の周波数による伝送特性について、シミュレーションを行った際のモデル図である。
【図９】本発明の第１実施形態のフィルタが伝送線路上に配置された際の周波数による伝送特性についての測定方法を示した図である。
【図１０】図８に示すシミュレーションモデルを用いたフィルタの周波数による伝送特性をシミュレーションした結果と作製したサンプルの測定結果のグラフである。
【図１１】本発明の第１実施形態のフィルタの変形例２を説明する図であって、を変えた他の一例である。
【図１２】従来例１におけるフィルタ回路を説明する図であって、その平面図を示している。
【図１３】従来例２における高周波バンドパスフィルタのひとつの様態を示す図であって、図１３（ａ）は、平面図であり、図１３（ｂ）は、図１３（ａ）の縦断面図である。
【発明を実施するための形態】
【００１８】
以下、本発明の実施の形態について添付図面を参照して詳細に説明する。
【００１９】
［第１実施形態］
図１は、本発明の第１実施形態のフィルタ１０１を説明する図であって、フィルタ１０１が伝送線路上に配置された際の上面構成図である。図２は、本発明の第１実施形態のフィルタ１０１を説明する図であって、図２（ａ）は、図１に示すＹ２側から見た側面構成図であり、図２（ｂ）は、図１に示すＸ１側から見た側面構成図である。なお、図１及び図２は、説明を容易にするため、外形，膜厚等のサイズは実際のサイズを表しているものではない。図３は、本発明の第１実施形態のフィルタ１０１に用いた磁性体シート５を説明する図であって、図３（ａ）は、図２（ａ）に示すＱ１部分の断面模式図であり、図３（ｂ）は、磁性体シート５の断面ＳＥＭ写真の一例である。
【００２０】
本発明の第１実施形態のフィルタ１０１は、図１及び図２に示すように、導体パターン１を有した回路と、固有の周波数帯域を抑制する特性を有する磁性体シート５とを備えて構成される。
【００２１】
磁性体シート５は、図１及び図２に示すように、四角形状に形成され、厚みの薄いフィルム状になっている。また、磁性体シート５は、作製されたサイズの大きいシートを所望の四角形状に切断加工して適用した。また、この磁性体シート５は、回路パターン８が形成された基板９上の伝送線路上に配置される。
【００２２】
また、磁性体シート５は、図３に示すように、ＡＢＳ（アクリロニトリルブタジエンスチレン）、ＰＰ（ポリプロピレン）等の合成樹脂ＰＬ５と、扁平状の磁性粉Ｍ５とから構成され、合成樹脂ＰＬ５のマトリックスに、磁性粉Ｍ５の扁平状の長手方向が磁性体シート５の面内方向ＰＤの所望の方向に揃えた形で、複数の磁性粉Ｍ５を並べるように配向ＨＤさせている。ここで言う配向ＨＤとは、複数の磁性粉Ｍ５の平均傾き角度が磁性体シート５の面内方向ＰＤに対して、４５°以下の状態を指し、好ましくは１０°以下の状態を指している。
【００２３】
また、磁性粉Ｍ５は、扁平状の形状をしているので、磁性偏平化されるようになる。このようにして、磁性偏平化された磁性粉Ｍ５を磁性体シート５の面内方向ＰＤの所望の方向に配向ＨＤさせたので、磁性体シート５の磁界の向きが、所望の方向に揃うようになる。このため、所望の方向の磁路抵抗が下がり、磁束が面内方向ＰＤに通りやすくなり磁気シールド効果が向上するとともに、電磁界エネルギーを熱変換、或いは反射させる等の特性が向上する。
【００２４】
次に、この磁性体シート５が伝送線路上に配置された際の磁性体シート５の伝送特性について、シミュレーションを行った。図４は、本発明の第１実施形態のフィルタ１０１に用いた磁性体シート５の周波数による伝送特性について、シミュレーションを行った際のモデル図である。この際の磁性粉Ｍ５の配向ＨＤ方向は、磁性体シート５の長手方向に沿った方向である。シミュレーションモデルＳＭ１は、図４に示すように、長さＬ８＝１５０ｍｍ、幅Ｗ８＝２ｍｍ及び１８μｍ厚みの伝送線路上に、長さＬ１＝１４５ｍｍ、幅Ｗ１＝８５ｍｍの磁性体シート５を配置している。磁性体シート５は、アルプス電気株式会社製のノイズ抑制用磁性シート・リカロイＴＭを用い、比透磁率の実部μｒ’＝９２.９（１３．５６ＭＨｚにおける）及び虚部μｒ”＝３２.８（１００ＭＨｚにおける）の特性のシートを適用した。
【００２５】
そして、図５は、上記シミュレーションモデルＳＭ１を用いた磁性体シート５の周波数による伝送特性をシミュレーションした結果のグラフである。図中の結果Ｋ１１は、磁性体シート５の厚みが１００μｍで、図中の結果Ｋ２１は、磁性体シート５の厚みが２００μｍの場合の結果を示している。また、図中の結果Ｋ８は、比較のため、伝送線路のみの結果を示している。なお、解析には、アンシス・ジャパン株式会社製の電磁界解析ツールである高周波３次元電磁界シミュレータ（ＨＦＳＳ）を用い、伝送特性として、図中にＳ２１パラメータを示している。
【００２６】
図５に示すように、およそ３０ＭＨｚ以上から伝送特性が抑制されるようになり、約１００ＭＨｚから抑制効果が顕著になり、１ＧＨｚでは大きく伝送特性が抑制されている。また、伝送線路のみの場合でも高周波側においては、多少の伝送特性の抑制効果が見られるが、磁性体シート５によって伝送特性がより抑制されるのが明らかである。さらに、磁性体シート５の厚みの大きい方が、伝送特性のより一層の抑制効果が見られるようになる。このようにして、磁性体シート５は、固有の周波数帯域を抑制する特性を有している。なお、特性が違う磁性体シートを用いた場合は、図５に示す周波数による伝送特性が異なることは言うまでもない。
【００２７】
本発明の第１実施形態のフィルタ１０１に用いた回路は、図１及び図２に示すように、導体パターン１とキャパシタ４と備えて構成され、磁性体シート５上の片面側平面に導体パターン１が環状に形成されている。そして、回路と磁性体シート５は容量結合している。また、この回路は、共振回路となっており、特に、この共振回路は、図１に示すように、他の回路と接続される導体のパターンを有していなく、リング共振回路Ｒ３である。さらに、リング共振回路Ｒ３は、導体パターン１が２つのキャパシタ４（４Ａ、４Ｂ）を介して接続され、閉じられた構成となっている。
【００２８】
導体パターン１は、銅または銅合金からなる金属箔をフォトリソグラフィー法によってパターニングし、このパターンを磁性体シート５に貼り付けることによって作製される。他に、銅または銅合金からなる金属箔を磁性体シート５に貼り合わせた後、パターニングして作製しても良く、作製方法に限定されるものではない。
【００２９】
キャパシタ４は、一般に広く用いられている積層セラミックチップコンデンサを好適に用い、図１に示すように、導体パターン１が２つのキャパシタ４（４Ａ、４Ｂ）を介して接続されるように配置され、はんだＨＤ付けされて実装されている。なお、キャパシタ４に積層セラミックチップコンデンサを好適に用いたが、無機系或いは有機系の誘電体膜を用いたコンポジットコンデンサ等でも良い。
【００３０】
これにより、共振回路が導体パターン１とキャパシタ４とから構成されているので、導体パターン１のインダクタンスＬとキャパシタ４の容量Ｃから、ＬＣ共振回路（Ｆ＝１／（２π√（ＬＣ）））を用いて、所定の周波数で容易に共振させることができる。さらに、高い周波数（例えば、５００ＭＨｚ以上）の信号の場合、キャパシタ４は共振回路のインピーダンスにおける伝送線路として機能するので、導体パターン１のみで共振回路を構成する場合と比較して、導体パターン１の伝送線路を短くでき、共振回路のサイズを小さくすることができる。
【００３１】
次に、このようにして構成された磁性体シート５上に形成された回路の伝送特性について、シミュレーションを行った。図６は、本発明の第１実施形態のフィルタ１０１に用いた磁性体シート５上に形成された回路の周波数による伝送特性について、シミュレーションを行った際のモデル図である。シミュレーションモデルＳＭ２は、図６に示すように、外形が長さＬ３＝３５ｍｍ、幅Ｗ３＝２０ｍｍでパターン幅Ｈ３＝２ｍｍ及び１６μｍ厚みの環状の導体パターン１と、図４のシミュレーションモデルＳＭ１で用いた同じ磁性体シート５とを用いている。
【００３２】
そして、図７は、上記シミュレーションモデルＳＭ２を用いた磁性体シート５上に形成された回路の周波数による伝送特性をシミュレーションした結果のグラフである。図中の結果Ｋ３１は、導体パターン１に銅を用い、磁性体シート５の厚みが２００μｍで、キャパシタ４（４Ａ、４Ｂ）のそれぞれの値が５ｐＦの場合の結果を示している。なお、解析には、前述した装置及び方法で行っている。
【００３３】
図７に示すように、３００ＭＨｚから４００ＭＨｚの間に共振ポイントＲＰを有しており、この共振ポイントＲＰ近傍での伝送特性が大きく抑制されるようになっている。このようにして、磁性体シート５上に形成された回路によって、所望の周波数帯域を抑制する特性を有するようにできる。なお、導体パターン１のサイズや形状とキャパシタ４の容量を変えることにより、共振ポイントＲＰにおける共振周波数や減衰量を変えることができ、図７に示す周波数による伝送特性を調整することができる。また、特性が違う磁性体シートを用いた場合においても、周波数による伝送特性が異なることは言うまでもない。
【００３４】
次に、この磁性体シート５上に形成された回路、つまりフィルタ１０１が伝送線路上に配置された際の伝送特性について、シミュレーションを行うとともに、実際のサンプルを作製して特性を測定した。図８は、本発明の第１実施形態のフィルタ１０１が伝送線路上に配置された際の周波数による伝送特性について、シミュレーションを行った際のモデル図である。シミュレーションモデルＳＭ３は、図８に示すように、図４で用いた伝送線路上に、図６で用いたシミュレーションモデルＳＭ２を配置している。なお、解析には、前述した装置及び方法で行っている。
【００３５】
また、図９は、図６に示すモデル図と同じサンプルを作製し、このサンプルを用いた際の測定方法を示した図である。図９に示すように、片面のプリント配線基板（ＰＣＢ）を用い、銅または銅合金からなるライン状の回路パターンＳ８をガラス繊維入りのエポキシ樹脂からなる絶縁性の基板Ｓ９上に形成し、ＳＭＡコネクターＣＮでこの回路パターンＳ８の両端をネットワークアナライザーＮＡに接続している。そして、この基板Ｓ９の片面側に配置され、磁性体シートＳ５上に２つのキャパシタＳ４（Ｓ４Ａ、Ｓ４Ｂ）を介して接続された導体パターンＳ１が形成されたサンプルの測定を行った。
【００３６】
図１０は、上記シミュレーションモデルＳＭ３を用いたフィルタ１０１の周波数による伝送特性をシミュレーションした結果Ｋ４１と作製したサンプルの測定結果ＳＫ１のグラフである。図１０に示すように、シミュレーションした結果Ｋ４１とサンプルの測定結果ＳＫ１とは、共振ポイントＲＰ近傍の周波数及び減衰量が良く一致しており、高周波側の減衰量充分得られている。これによれば、伝送線路上に、磁性体シート５（Ｓ５）を介して回路を配置することによって、磁性体シート５（Ｓ５）の高周波側の固有の周波数帯域を抑制することができる。さらに、磁性体シート５（Ｓ５）の種類と導体パターン１（Ｓ１）のサイズや形状とキャパシタＳ４の容量とを変えることにより、高周波側の減衰量や共振ポイントＲＰにおける共振周波数や減衰量を変えることができるので、周波数による伝送特性を調整することができる。このことにより、所定の周波数帯域のノイズを所望に調整可能に抑制できるフィルタ１０１を得ることができる。
【００３７】
また、本発明の実施形態１のフィルタ１０１に用いた回路が共振回路なので、共振ポイントＲＰにおける共振周波数や減衰量を変えることができ、減衰させる所望の周波数帯域を調整することができる。このことにより、所定の周波数帯域のノイズを所望により調整可能に抑制できるフィルタ１０１を得ることができる。
【００３８】
さらに、共振回路が導体パターンＳ１とキャパシタＳ４とから構成されているので、導体パターンＳ１のインダクタンスＬとキャパシタＳ４の容量Ｃから、ＬＣ共振回路（Ｆ＝１／（２π√（ＬＣ）））を用いて、所定の周波数で容易に共振させることができる。このことにより、減衰させる所望の周波数帯域を調整することができ、所定の周波数帯域のノイズを所望により一層調整可能に抑制できるフィルタ１０１を得ることができる。
【００３９】
また、本発明の実施形態１のフィルタ１０１に用いた共振回路がリング共振回路Ｒ３であるので、共振回路に接地（グランド）を設ける必要がないことにより、低損失（高いＱ値）を実現でき、不用な浮遊容量も生じなくすることができる。このことにより、フィルタの構造が極めて単純で、しかも良い特性のフィルタ１０１を得ることができる。
【００４０】
また、リング共振回路Ｒ３がキャパシタＳ４を介して閉じられた導体パターンＳ１から構成されているので、導体パターンＳ１のサイズや形状とキャパシタＳ４の容量とを変えることにより、容易に共振させられ、しかも所望の共振周波数に容易に調整することができる。このことにより、所定の周波数帯域のノイズを所望により一層調整可能に抑制できるフィルタ１０１を得ることができる。
【００４１】
また、本発明の実施形態１のフィルタ１０１に用いた磁性体シート５（Ｓ５）は、磁性偏平化された磁性粉Ｍ５を面内方向ＰＤの所望の方向に配向ＨＤさせているので、電磁界エネルギーを熱変換、或いは反射させる等の特性が向上している。このため、この磁性体シート５（Ｓ５）が伝送線路を覆うように配置されているので、伝送線路から出る或いは伝送線路に入る電磁波を遮蔽することができる。
【００４２】
以上により、本発明のフィルタ１０１は、伝送線路上に、磁性体シート５を介して、回路を配置することによって、磁性体シート５の固有の周波数帯域を抑制する特性を調整可能とし所定の周波数帯域を減衰できるので、所望の周波数帯域のノイズを抑制できるフィルタとすることができる。このことにより、所定の周波数帯域のノイズを所望に調整可能に抑制できるフィルタ１０１を得ることができる。
【００４３】
また、回路が共振回路なので、共振ポイントＲＰにおける共振周波数や減衰量を変えることができ、減衰させる所望の周波数帯域を調整することができる。このことにより、所定の周波数帯域のノイズを所望により調整可能に抑制できるフィルタ１０１を得ることができる。
【００４４】
また、共振回路がリング共振回路Ｒ３であるので、共振回路に接地（グランド）を設ける必要がないことにより、低損失（高いＱ値）を実現でき、不用な浮遊容量も生じなくすることができる。このことにより、フィルタ１０１の構造が極めて単純で、しかも良い特性のフィルタ１０１を得ることができる。
【００４５】
また、リング共振回路Ｒ３がキャパシタ４を介して閉じられた導体パターン１から構成されているので、導体パターン１のサイズや形状とキャパシタ４の容量とを変えることにより、容易に共振させられ、しかも所望の共振周波数に容易に調整することができる。このことにより、所定の周波数帯域のノイズを所望により一層調整可能に抑制できるフィルタ１０１を得ることができる。
【００４６】
なお、本発明は上記実施形態に限定されるものではなく、例えば次のように変形して実施することができ、これらの実施形態も本発明の技術的範囲に属する。
【００４７】
＜変形例１＞
上記実施形態では、回路が導体パターン１とキャパシタ４と備えて構成されていたが、導体パターンのみを有した回路であっても良い。また、回路が共振回路やリング共振回路Ｒ３に限るものでもない。
【００４８】
＜変形例２＞
上記実施形態では、リング共振回路Ｒ３を磁性体シート５上に貼り付けてフィルタ１０１を構成したが、図１１に示すように、基材Ｃ７を用い、基材Ｃ７上に回路Ｃ３を設けて、磁性体シート５と重ね合わせても良い。
【００４９】
＜変形例３＞
上記実施形態では、導体パターン１に銅または銅合金からなる金属箔を用いたが、銀等の導電性粉末がバインダー樹脂内に分散した導電性インクを印刷し、乾燥，固化して、導導体パターンとしても良い。その際には、キャパシタ４として、無機系或いは有機系の誘電体膜を用いたコンポジットコンデンサを用いるのがより好適である。
【００５０】
本発明は上記実施の形態に限定されず、本発明の目的の範囲を逸脱しない限りにおいて適宜変更することが可能である。
【符号の説明】
【００５１】
１、Ｓ１  導体パターン
Ｒ３  リング共振回路
４、４Ａ、４Ｂ、Ｓ４、Ｓ４Ａ、Ｓ４Ｂ  キャパシタ
５、Ｓ５  磁性体シート
Ｍ５  磁性粉
１０１  フィルタ
【図１】
2014207491.tif 000003
【図２】
2014207491.tif 000004
【図３】
2014207491.tif 000005
【図４】
2014207491.tif 000006
【図５】
2014207491.tif 000007
【図６】
2014207491.tif 000008
【図７】
2014207491.tif 000009
【図８】
2014207491.tif 000010
【図９】
2014207491.tif 000011
【図１０】
2014207491.tif 000012
【図１１】
2014207491.tif 000013
【図１２】
2014207491.tif 000014
【図１３】
2014207491.tif 000015